(57)【要約】【課題】  利用者の通信開始を一時保留することなく、また、ユーザ登録などの煩雑な手続きを必要とせず、利用者が手持ち無沙汰となる時間帯を利用して効率の良い広告表示を携帯電話端末により行う。【解決手段】  一つの広告情報の取得と、当該広告情報の表示とをそれぞれ異なる通信タイミングに行う。当該広告情報の表示時間帯は、利用者がメールの送信を開始した時点からメール送信が完了するまでの時間帯、あるいは、利用者がＷｅｂ接続を開始した時点からＷｅｂデータが表示されるまでの時間帯とする。【選択図】  図３
2006047565.tif 000002
【特許請求の範囲】
【請求項１】
携帯電話端末は、利用者がメール送信ボタンを押下したことを受けて前回のメール送信時に広告配信サーバから配信された広告情報をメール送信完了まで、あるいは、一定の時間表示すると共に前記広告配信サーバに向けて自携帯電話端末の情報を送信し、
前記広告配信サーバは、前記メール送信ボタンが押下されたことによって前記携帯電話端末から送信される当該携帯電話端末の情報を受け取ると当該携帯電話端末に対して新たな広告情報を配信し、
前記携帯電話端末は、当該新たな広告情報の配信を受け取るとこれを次回のメール送信タイミングにおける広告表示のために記憶する
広告表示方法。
【請求項２】
携帯電話端末は、利用者がＷｅｂ接続を開始したことを受けて前回のＷｅｂ接続時に広告配信サーバから配信された広告情報をＷｅｂデータが表示されるまで、あるいは、一定の時間表示すると共に前記広告配信サーバに向けて自携帯電話端末の情報を送信し、
前記広告配信サーバは、前記Ｗｅｂ接続が開始されたことによって前記携帯電話端末から送信される当該携帯電話端末の情報を受け取ると当該携帯電話端末に対して新たな広告情報を配信し、
前記携帯電話端末は、当該新たな広告情報の配信を受け取るとこれを次回のＷｅｂ接続タイミングにおける広告表示のために記憶する
広告表示方法。
【請求項３】
携帯電話端末は、メール作成に先立って、広告配信サーバが有するメール作成アプリケーション機能の起動要求を含む自携帯電話端末の情報を送信し、
前記広告配信サーバは、前記携帯電話端末から送信される当該携帯電話端末の情報を受け取ると前記メール作成アプリケーション機能を起動すると共に、当該携帯電話端末に対して新たな広告情報を配信し、
前記携帯電話端末は、当該新たな広告情報の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する
広告表示方法。
【請求項４】
前記広告配信サーバは、前記携帯電話端末の情報毎に前記広告情報の配信履歴を記録する請求項１ないし３のいずれかに記載の広告表示方法。
【請求項５】
利用者がメール送信ボタンを押下したことを受けて前回のメール送信時に広告配信サーバから配信された広告情報をメール送信完了まで、あるいは、一定の時間表示すると共に前記広告配信サーバに向けて自携帯電話端末の情報を送信する手段と、
新たな広告情報の配信を受け取るとこれを次回のメール送信タイミングにおける広告表示のために記憶する手段と
を備えた携帯電話端末。
【請求項６】
利用者がＷｅｂ接続を開始したことを受けて前回のＷｅｂ接続時に広告配信サーバから配信された広告情報をＷｅｂデータが表示されるまで、あるいは、一定の時間表示すると共に前記広告配信サーバに向けて自携帯電話端末の情報を送信する手段と、
新たな広告情報の配信を受け取るとこれを次回のＷｅｂ接続タイミングにおける広告表示のために記憶する手段と
を備えた携帯電話端末。
【請求項７】
メール作成に先立って、広告配信サーバが有するメール作成アプリケーション機能の起動要求を含む自携帯電話端末の情報を送信する手段と、
新たな広告情報の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する手段と
を備えた携帯電話端末。
【請求項８】
情報処理装置にインストールすることにより、その情報処理装置に、
利用者がメール送信ボタンを押下したことを受けて前回のメール送信時に広告配信サーバから配信された広告情報をメール送信完了まで、あるいは、一定の時間表示すると共に前記広告配信サーバに向けて自携帯電話端末の情報を送信する機能と、
新たな広告情報の配信を受け取るとこれを次回のメール送信タイミングにおける広告表示のために記憶する機能と
を備えた携帯電話端末に相応する機能を実現させるプログラム。
【請求項９】
情報処理装置にインストールすることにより、その情報処理装置に、
利用者がＷｅｂ接続を開始したことを受けて前回のＷｅｂ接続時に広告配信サーバから配信された広告情報をＷｅｂデータが表示されるまで、あるいは、一定の時間表示すると共に前記広告配信サーバに向けて自携帯電話端末の情報を送信する機能と、
新たな広告情報の配信を受け取るとこれを次回のＷｅｂ接続タイミングにおける広告表示のために記憶する機能と
を備えた携帯電話端末に相応する機能を実現させるプログラム。
【請求項１０】
情報処理装置にインストールすることにより、その情報処理装置に、
メール作成に先立って、広告配信サーバが有するメール作成アプリケーション機能の起動要求を含む自携帯電話端末の情報を送信する機能と、
新たな広告情報の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する機能と
を備えた携帯電話端末に相応する機能を実現させるプログラム。
【請求項１１】
携帯電話端末の情報を受け取ると当該携帯電話端末に対して新たな広告情報を配信する手段と、
前記携帯電話端末の情報毎に前記広告情報の配信履歴を記録する手段と
を備えた広告配信サーバ。
【請求項１２】
情報処理装置にインストールすることにより、その情報処理装置に、
携帯電話端末の情報を受け取ると当該携帯電話端末に対して新たな広告情報を配信する機能と、
前記携帯電話端末の情報毎に前記広告情報の配信履歴を記録する機能と
を備えた広告配信サーバに相応する機能を実現させるプログラム。
【発明の詳細な説明】
【技術分野】
【０００１】
本発明は、携帯電話端末を用いた通信サービスに利用する。特に、広告配信サービスに関する。
【背景技術】
【０００２】
携帯電話端末の利用者（以下、単に利用者という）がＷｅｂブラウジングにより、関心のある広告情報を取得することは従来から行われているが、利用者が通信を行うために携帯電話端末を操作している状態を検出し、この通信の機会を利用して広告を配信するサービスが提案されている。さらに、広告主から広告料を徴収し、これを利用者に還元するサービスも提案されている（例えば、特許文献１〜７参照）。
【０００３】
【特許文献１】特開２００１−３２０４５０号公報
【特許文献２】特開２００２−７８５７号公報
【特許文献３】特開２００２−９２４７３号公報
【特許文献４】特開２００２−１５０１１８号公報
【特許文献５】特開２００２−１７００２７号公報
【特許文献６】特開２００２−１７００４３号公報
【特許文献７】特開２００３−３３３６３６号公報
【発明の開示】
【発明が解決しようとする課題】
【０００４】
従来の技術には、以下のような課題がある。
【０００５】
特許文献１、２、６、７に開示されている技術では、携帯電話端末の利用者が通信を行うときに、通信の前あるいは後に広告が自動的に表示される。
【０００６】
通信の前に広告が表示される場合には、その間、利用者は通信の開始を待たされることになり、利用者の利便性を損ねる可能性がある。また、通信の後に広告が表示される場合には、利用者は既に通信を済ませているので、表示された広告を見ることなく、携帯電話端末をポケット等に収納してしまう可能性が高い。
【０００７】
また、特許文献３または５に開示にされている技術では、広告配信システムへのアクセスは利用者の操作によるので、あらかじめ利用者が関心を有する内容についての広告は可能であるが、あらかじめ利用者が関心を有していない内容について利用者の関心を喚起するための広告は困難である。
【０００８】
また、特許文献４に開示されている技術では、広告を行うにあたり、あらかじめユーザ登録を必要とし、ユーザ登録の煩わしさを嫌う利用者の利用は期待できない。
【０００９】
本発明は、このような背景に行われたものであって、利用者の通信開始を一時保留することなく、また、ユーザ登録などの煩雑な手続きを必要とせず、利用者が手持ち無沙汰となる時間帯を利用して効率の良い広告表示を行うことができる広告配信方法および携帯電話端末および広告配信サーバを提供することを目的とする。
【課題を解決するための手段】
【００１０】
本発明の広告配信システムでは、一つの広告情報の取得と、当該広告情報の表示とをそれぞれ異なる通信タイミングに行うことを特徴とする。すなわち、携帯電話端末の利用者が通信を行うタイミングに、前回の通信時に受け取った広告情報の表示を行う。
【００１１】
さらに、当該広告情報の表示時間帯は、利用者がメールの送信を開始した時点からメール送信が完了するまでの時間帯、あるいは、利用者がＷｅｂ接続を開始した時点からＷｅｂデータが表示されるまでの時間帯とすることができる。この時間帯は、利用者にとっては、何らの端末操作も必要なく、また、送信完了あるいはＷｅｂデータ表示がなされることを確認するために、画面を見つめている確率が高い時間帯であり、利用者の利便性を損ねることなく、効率の良い広告を行うことができる。
【００１２】
すなわち、従来のように、利用者の通信開始を一時保留させ、この間に広告を表示させるのではなく、本発明では、利用者がメール送信操作を完了した時点、あるいは、利用者がＷｅｂ接続操作を完了した時点から広告表示を開始することができるので、利用者の操作を妨げることなく、しかも、利用者が最も手持ち無沙汰となる時間帯を利用して効率の良い広告表示を行うことができる。
【００１３】
このような本発明の広告表示方法の原理を説明すると、従来は、広告情報の取得と表示とを同一の通信タイミングで行っていたので、広告情報を取得した後でなければ、広告情報の表示が不可能であった。これに対し、本発明では、前回の通信タイミングで取得した広告情報を表示するので、任意の時間帯に広告情報の表示が可能である。したがって、利用者が手持ち無沙汰となる時間帯を選んで広告表示を行うことができる。
【００１４】
なお、メール作成アプリケーション機能を広告配信サーバ側から携帯電話端末に提供する場合には、携帯電話端末におけるメール作成画面の一部に広告を表示することもできる。
【００１５】
さらに、広告配信サーバでは、携帯電話端末から当該携帯電話端末の情報を受け取ると、新たな広告情報を当該携帯電話端末に配信するが、このときに、当該携帯電話端末の情報毎に広告情報の配信履歴を記録しておき、後に、この配信履歴に基づいて広告主から支払われる広告料を利用者に還元することができる。これにより、利用者は通信費の割引サービスを受けることができる。
【００１６】
すなわち、本発明の第一の観点は広告表示方法であって、携帯電話端末は、利用者がメール送信ボタンを押下したことを受けて前回のメール送信時に広告配信サーバから配信された広告情報をメール送信完了まで、あるいは、一定の時間表示すると共に前記広告配信サーバに向けて自携帯電話端末の情報を送信し、前記広告配信サーバは、前記メール送信ボタンが押下されたことによって前記携帯電話端末から送信される当該携帯電話端末の情報を受け取ると当該携帯電話端末に対して新たな広告情報を配信し、前記携帯電話端末は、当該新たな広告情報の配信を受け取るとこれを次回のメール送信タイミングにおける広告表示のために記憶する。
【００１７】
あるいは、本発明の広告表示方法は、携帯電話端末は、利用者がＷｅｂ接続を開始したことを受けて前回のＷｅｂ接続時に広告配信サーバから配信された広告情報をＷｅｂデータが表示されるまで、あるいは、一定の時間表示すると共に前記広告配信サーバに向けて自携帯電話端末の情報を送信し、前記広告配信サーバは、前記Ｗｅｂ接続が開始されたことによって前記携帯電話端末から送信される当該携帯電話端末の情報を受け取ると当該携帯電話端末に対して新たな広告情報を配信し、前記携帯電話端末は、当該新たな広告情報の配信を受け取るとこれを次回のＷｅｂ接続タイミングにおける広告表示のために記憶する。
【００１８】
あるいは、本発明の広告表示方法は、携帯電話端末は、メール作成に先立って、広告配信サーバが有するメール作成アプリケーション機能の起動要求を含む自携帯電話端末の情報を送信し、前記広告配信サーバは、前記携帯電話端末から送信される当該携帯電話端末の情報を受け取ると前記メール作成アプリケーション機能を起動すると共に、当該携帯電話端末に対して新たな広告情報を配信し、前記携帯電話端末は、当該新たな広告情報の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する。
【００１９】
また、前記広告配信サーバは、前記携帯電話端末の情報毎に前記広告情報の配信履歴を記録することができる。これにより、例えば、利用者は、この配信履歴に基づいて広告主から支払われる広告料の還元を受けることができる。これにより、利用者は通信費の割引サービスを受けることができる。
【００２０】
本発明の第二の観点は携帯電話端末であって、利用者がメール送信ボタンを押下したことを受けて前回のメール送信時に広告配信サーバから配信された広告情報をメール送信完了まで、あるいは、一定の時間表示すると共に前記広告配信サーバに向けて自携帯電話端末の情報を送信する手段と、新たな広告の配信を受け取るとこれを次回のメール送信タイミングにおける広告表示のために記憶する手段とを備える。
【００２１】
あるいは、本発明の携帯電話端末は、利用者がＷｅｂ接続を開始したことを受けて前回のＷｅｂ接続時に広告配信サーバから配信された広告情報をＷｅｂデータが表示されるまで、あるいは、一定の時間表示すると共に前記広告配信サーバに向けて自携帯電話端末の情報を送信する手段と、新たな広告の配信を受け取るとこれを次回のＷｅｂ接続タイミングにおける広告表示のために記憶する手段とを備える。
【００２２】
あるいは、本発明の携帯電話端末は、メール作成に先立って、広告配信サーバが有するメール作成アプリケーション機能の起動要求を含む自携帯電話端末の情報を送信する手段と、新たな広告の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する手段とを備える。
【００２３】
本発明の第三の観点はプログラムであって、情報処理装置にインストールすることにより、その情報処理装置に、利用者がメール送信ボタンを押下したことを受けて前回のメール送信時に広告配信サーバから配信された広告情報をメール送信完了まで、あるいは、一定の時間表示すると共に前記広告配信サーバに向けて自携帯電話端末の情報を送信する機能と、新たな広告の配信を受け取るとこれを次回のメール送信タイミングにおける広告表示のために記憶する機能とを備えた携帯電話端末に相応する機能を実現させる。
【００２４】
あるいは、本発明のプログラムは、情報処理装置にインストールすることにより、その情報処理装置に、利用者がＷｅｂ接続を開始したことを受けて前回のＷｅｂ接続時に広告配信サーバから配信された広告情報をＷｅｂデータが表示されるまで、あるいは、一定の時間表示すると共に前記広告配信サーバに向けて自携帯電話端末の情報を送信する機能と、新たな広告の配信を受け取るとこれを次回のＷｅｂ接続タイミングにおける広告表示のために記憶する機能とを備えた携帯電話端末に相応する機能を実現させる。
【００２５】
あるいは、本発明のプログラムは、情報処理装置にインストールすることにより、その情報処理装置に、メール作成に先立って、広告配信サーバが有するメール作成アプリケーション機能の起動要求を含む自携帯電話端末の情報を送信する機能と、新たな広告の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する機能とを備えた携帯電話端末に相応する機能を実現させる。
【００２６】
本発明の第四の観点は広告配信サーバであって、携帯電話端末の情報を受け取ると当該携帯電話端末に対して新たな広告情報を配信する手段と、前記携帯電話端末の情報毎に前記広告情報の配信履歴を記録する手段とを備える。
【００２７】
また、本発明のプログラムは、情報処理装置にインストールすることにより、その情報処理装置に、携帯電話端末の情報を受け取ると当該携帯電話端末に対して新たな広告情報を配信する機能と、前記携帯電話端末の情報毎に前記広告情報の配信履歴を記録する機能とを備えた広告配信サーバに相応する機能を実現させる。
【００２８】
本発明のプログラムは記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００２９】
これにより、汎用の情報処理装置を用いて、利用者の通信開始を一時保留することなく、また、ユーザ登録などの煩雑な手続きを必要とせず、利用者が手持ち無沙汰となる時間帯を利用して効率の良い広告表示を行うことができる携帯電話端末および広告配信サーバを実現することができる。
【発明の効果】
【００３０】
本発明によれば、利用者の通信開始を一時保留することなく、また、ユーザ登録などの煩雑な手続きを必要とせず、利用者が手持ち無沙汰となる時間帯を利用して効率の良い広告表示を携帯電話端末により行うことができる。
【発明を実施するための最良の形態】
【００３１】
（第一実施例）
第一実施例を図１ないし図４、図８ないし図１０を参照して説明する。図１を参照すると、本実施例は、携帯電話端末１０１と、広告配信サーバ１０２と、インターネット端末１０３と、広告主１０４と、仲介者１０５と、インターネット１０６と、携帯電話ネットワーク１０７と、携帯電話事業者が運営するメールサーバ１０８と、インターネット上のＷｅｂ／メールサーバ１０９と、携帯電話事業者１１０とから構成される。
【００３２】
広告配信サーバ１０２と、携帯電話事業者が運営するメールサーバ１０８と、インターネット上のＷｅｂ／メールサーバ１０９と、インターネット端末１０３とはインターネット１０６により相互接続されている。
【００３３】
また、携帯電話端末１０１と、広告配信サーバ１０２とは携帯電話ネットワーク１０７により相互接続されている。また、携帯電話事業者１１０は、携帯電話ネットワーク１０７と、携帯電話端末１０１とを運営管理する。携帯電話端末１０１は、インターネットに接続する際、広告配信サーバ１０２から配信される広告を受信して表示することが可能な機能を備えている。
【００３４】
第一実施例の携帯電話端末１０１は、利用者がメール送信ボタンを押下したことを受けて前回のメール送信時に広告配信サーバ１０２から配信された広告情報をメール送信完了まで、あるいは、一定の時間表示すると共に広告配信サーバ１０２に向けて自携帯電話端末１０１の情報を送信する手段と、新たな広告の配信を受け取るとこれを次回のメール送信タイミングにおける広告表示のために記憶する手段とを備える。
【００３５】
また、広告配信サーバ１０２は、携帯電話端末１０１の情報を受け取ると当該携帯電話端末１０１に対して新たな広告情報を配信する手段と、携帯電話端末１０１の情報毎に前記広告情報の配信履歴を記録する手段とを備える。
【００３６】
次に、図２、図３、図４のフローチャートおよび図８、図９、図１０のイメージを参照して第一実施例の動作について詳細に説明する。まず、広告主１０４は配信する広告を作成する（ステップＡ１）。つぎに、広告主１０４は、仲介者１０５に対して広告配信依頼を行う（ステップＡ２）。つぎに、仲介者はインターネット端末１０３を使用し、広告登録を行う（ステップＡ３）。つぎに、広告配信サーバ１０２は要求された広告登録を受理し、広告配信が可能な状態となる（ステップＡ４）。
【００３７】
一方、携帯電話端末利用者は携帯電話端末１０１に準備されている、広告配信サーバ１０２との通信が可能で、広告表示が可能なメーラを起動し、通常どおりメールを作成する（ステップＢ１）。図８はメール作成イメージである。
【００３８】
次に、メーラのメール送信ボタンを押下する（ステップＢ２）。すると、携帯電話端末１０１の画面に前回、広告配信サーバ１０２から配信された広告がポップアップする（ステップＢ３）。図９はポップアップした広告情報表示のイメージである。この広告はメール送信が全て完了するまでの間、もしくは一定の時間表示される（ステップＢ４）。
【００３９】
このとき、携帯電話端末１０１は広告配信サーバ１０２に対し、パケット通信が行われることを通知し、携帯電話端末１０１の情報等を送信する（ステップＢ５）。
【００４０】
次に、携帯電話端末１０１からパケット通信を行う通知を受けた広告配信サーバ１０２は、携帯電話端末情報と配信する広告情報の履歴とを記憶し（ステップＢ６）、携帯電話端末１０１に広告を配信する（ステップＢ７）。
【００４１】
広告配信サーバ１０２から広告配信を受けた携帯電話端末１０１は、次回のパケット通信時にその広告内容を表示するため記憶する（ステップＢ８）。
【００４２】
次に、携帯電話端末１０１はメール本文を携帯電話事業者が運営するメールサーバ１０８に送信する（ステップＢ９）。
【００４３】
携帯電話端末１０１からのメール送信要求を受けた携帯電話事業者が運営するメールサーバ１０８は、通常どおりインターネット上のＷｅｂ／メールサーバ１０９にメールを送信する（ステップＢ１０）。
【００４４】
次に、ポップアップしていた広告を終了しメール送信完了となる（ステップＢ１１）。また、携帯電話端末１０１に配信されて記憶された広告情報は、携帯電話端末１０１の所定の操作によっていつでも履歴および内容の確認が可能である。図１０は配信履歴一覧のイメージである。
【００４５】
次に、広告配信サーバ１０２に蓄積された配信履歴を元に、広告主１０４へ広告配信にかかったパケット通信料金を含む広告費用を請求する（ステップＣ１）。広告主１０４は請求された広告費用を支払う（ステップＣ２）。
【００４６】
次に、広告配信サーバ１０２に蓄積された配信履歴を元に、携帯電話事業者１１０へ携帯電話端末利用者が割引かれる料金と広告配信のためにかかった費用とを支払う（ステップＣ３）。
【００４７】
次に、携帯電話事業者１１０は毎月、携帯電話端末利用者に請求するパケット通信料金から広告閲覧のサービス料金を差し引いた分を請求する（ステップＣ４）。
【００４８】
最後に、携帯電話端末利用者はパケット通信を行う際に広告を閲覧した対価として料金の割引を受ける（Ｃ５）。
【００４９】
このステップＣ１〜Ｃ５の処理は、以降の実施例においては、説明を省略するが同様に適用される。
【００５０】
（第二実施例）
第二実施例について図面を参照して詳細に説明する。図２を参照すると、広告主１０４は仲介者１０５を通して広告登録（ステップＡ３）を行うが、これは広告主１０４が直接行ってもよい。
【００５１】
（第三実施例）
第三実施例の構成について図面を参照して詳細に説明する。第三実施例においては、携帯電話端末１０１と、メールサーバ機能を備えた広告配信サーバ１０２と、インターネット上のＷｅｂ／メールサーバ１０９とが存在し、携帯電話事業者が運営するメールサーバ１０８が存在しない点で、第一実施例と異なる。
【００５２】
次に、図５のフローチャートを参照して第三実施例の動作について詳細に説明する。携帯電話端末１０１でメール作成し、メール送信ボタンを押下し、広告がポップアップするまでの動作（ステップＤ１からＤ４）は、第一実施例（ステップＢ１からＢ４）と同様である。
【００５３】
まず、携帯電話端末情報とメール本文を、メールサーバ機能を備えた広告配信サーバ１０２に送信する（ステップＤ５）。メールサーバ機能を備えた広告配信サーバ１０２は、通常どおりインターネット上のＷｅｂ／メールサーバ１０９にメールを送信する（ステップＤ６）。
【００５４】
次に、メールサーバ機能を備えた広告配信サーバ１０２は、携帯電話端末情報と配信する広告情報の履歴を記憶し（ステップＤ７）、携帯電話端末１０１に広告を配信する（ステップＤ８）。
【００５５】
次に、メールサーバ機能を備えた広告配信サーバ１０２から広告配信を受けた携帯電話端末１０１は、次回のパケット通信時にその広告内容を表示するため記憶する（ステップＤ９）。
【００５６】
最後に、ポップアップしていた広告を終了しメール送信完了となる（ステップＤ１０）。
【００５７】
（第四実施例）
第四実施例の構成について図面を参照して詳細に説明する。第四実施例においては、Ｗｅｂアクセスする際にも広告配信を行う点において、第一および第三実施例と異なる。
【００５８】
第四実施例の携帯電話端末１０１は、利用者がＷｅｂ接続を開始したことを受けて前回のＷｅｂ接続時に広告配信サーバ１０２から配信された広告情報をＷｅｂデータが表示されるまで、あるいは、一定の時間表示すると共に広告配信サーバ１０２に向けて自携帯電話端末１０１の情報を送信する手段と、新たな広告の配信を受け取るとこれを次回のＷｅｂ接続タイミングにおける広告表示のために記憶する手段とを備える。
【００５９】
また、広告配信サーバ１０２は、携帯電話端末１０１の情報を受け取ると当該携帯電話端末１０１に対して新たな広告情報を配信する手段と、携帯電話端末１０１の情報毎に前記広告情報の配信履歴を記録する手段とを備える。
【００６０】
次に、図６のフローチャートを参照して第四実施例の動作について詳細に説明する。まず、携帯電話端末利用者は携帯電話端末１０１に準備されている、広告配信サーバ１０２との通信が可能で、広告表示が可能なブラウザを起動する（ステップＥ１）。
【００６１】
次に、携帯電話端末１０１の操作、例えばリンク表示部分にカーソルを合わせ所定のボタンの押下や、ＵＲＬの直接入力等によって、Ｗｅｂ接続開始を行う（ステップＥ２）。
【００６２】
すると、携帯電話端末１０１の画面に前回、広告配信サーバ１０２から配信された広告がポップアップする（ステップＥ３）。この広告はメール送信が全て完了するまでの間、もしくは一定の時間表示される（ステップＥ４）。このとき、携帯電話端末１０１は広告配信サーバ１０２に対し、パケット通信が行われることを通知し、携帯電話端末の情報等を送信する（ステップＥ５）。
【００６３】
次に、携帯電話端末１０１からパケット通信を行う通知を受けた広告配信サーバ１０２は、携帯電話端末情報と配信する広告情報の履歴を記憶し（ステップＥ６）、携帯電話端末１０１に広告を配信する（ステップＥ７）。
【００６４】
広告配信サーバ１０２から広告配信を受けた携帯電話端末１０１は、次回のパケット通信時にその広告内容を表示するため記憶する（ステップＥ８）。
【００６５】
次に、携帯電話端末１０１はインターネット上のＷｅｂ／メールサーバ１０９にＷｅｂ接続要求を行う（ステップＥ９）。
【００６６】
携帯電話端末１０１からのＷｅｂ接続要求を受けたインターネット上のＷｅｂ／メールサーバ１０９は、通常どおりＷｅｂ応答を返す（ステップＥ１０）。
【００６７】
最後に、ポップアップしていた広告の終了とＷｅｂデータを表示し完了となる（ステップＥ１１）。
【００６８】
（第五実施例）
第五実施例の構成について図面を参照して詳細に説明する。第五実施例においては、メール作成のアプリケーション本体機能部分が、メールサーバ機能とメール作成アプリケーション機能とを備えた広告配信サーバ１０２で行われる点において、第一および第三実施例と異なる。
【００６９】
第五実施例の携帯電話端末１０１は、メール作成に先立って、広告配信サーバ１０２が有するメール作成アプリケーション機能の起動要求を含む自携帯電話端末１０１の情報を送信する手段と、新たな広告の配信を受け取るとこれを次回の通信タイミングにおける広告表示のために記憶すると共に、前回記憶した広告情報を前記メール作成アプリケーション機能に基づくメール作成画面の一部にメール送信完了あるいはメール作成アプリケーション終了まで表示する手段とを備える。
【００７０】
また、広告配信サーバ１０２は、携帯電話端末１０１の情報を受け取ると当該携帯電話端末１０１に対して新たな広告情報を配信する手段と、携帯電話端末１０１の情報毎に前記広告情報の配信履歴を記録する手段とを備える。
【００７１】
次に、図７のフローチャートを参照して第五実施例の動作について詳細に説明する。まず、携帯電話端末利用者は携帯電話端末１０１に準備されている、メールサーバ機能とメール作成アプリケーション機能とを備えた広告配信サーバ１０２との通信が可能で、広告表示が可能なメーラを起動する（ステップＦ１）。
【００７２】
携帯電話端末１０１は、メールサーバ機能とメール作成アプリケーション機能とを備えた広告配信サーバ１０２に対して、携帯電話端末情報とメール作成機能起動要求とを行う（ステップＦ２）。
【００７３】
次に、メールサーバ機能とメール作成アプリケーション機能とを備えた広告配信サーバ１０２は、メール作成アプリケーションを起動し（ステップＦ３）、携帯電話端末情報と配信する広告情報の履歴を記憶し（ステップＦ４）、携帯電話端末１０１に広告を配信する（ステップＦ５）。
【００７４】
次に、メールサーバ機能とメール作成アプリケーション機能を備えた広告配信サーバ１０２から広告配信を受けた携帯電話端末１０１は、次回のパケット通信時にその広告内容を表示するため記憶する（ステップＦ６）。
【００７５】
同時に携帯電話端末１０１のメール作成画面の一部で広告を表示する（ステップＦ７）。この広告はメール送信が全て完了するまでの間、もしくはメール作成アプリケーションが終了するまでの間表示される（ステップＦ８）。図１１はメール作成画面の一部に表示された広告イメージであり、メール作成エリアと広告エリアとが並行して表示されている。
【００７６】
次に、携帯電話端末利用者は、通常どおりメールを作成し（ステップＦ９）、メーラのメール送信ボタンを押下する（ステップＦ１０）。
【００７７】
次に、携帯電話端末１０１はメール本文をメールサーバ機能とメール作成アプリケーション機能を備えた広告配信サーバ１０２に送信する（ステップＦ１１）。
【００７８】
携帯電話端末１０１からのメール送信要求を受けた、メールサーバ機能とメール作成アプリケーション機能を備えた広告配信サーバ１０２は、通常どおりインターネット上のＷｅｂ／メールサーバ１０９にメールを送信する（ステップＦ１２）。
【００７９】
最後に、メール作成アプリケーションと広告表示が終了しメール送信完了となる（ステップＦ１３）。
【００８０】
（第六実施例）
第六実施例の構成について図面を参照して詳細に説明する。図７を参照すると、メール送信に伴うパケット通信時の手順について述べられているが、同様の手順によりＷｅｂアクセスすることもできる。
【００８１】
（第七実施例）
第七実施例について図面を参照して詳細に説明する。図４を参照すると、携帯電話端末利用者は、携帯電話事業者１１０からの使用料割引を以てサービスを享受しているが、携帯電話事業者１１０を介さず電子マネーやポイント制度、広告配信サーバを運営する事業者からの振り込みによってサービスを享受することもできる。
【００８２】
（第八実施例）
本実施例は、汎用の情報処理装置にインストールすることにより、その情報処理装置に本実施例の携帯電話端末１０１または広告配信サーバ１０２に相応する機能を実現させるプログラムとして実現することができる。このプログラムは、記録媒体に記録されて情報処理装置にインストールされ、あるいは通信回線を介して情報処理装置にインストールされることにより当該情報処理装置に、携帯電話端末１０１または広告配信サーバ１０２にそれぞれ相応する機能を実現させることができる。
【００８３】
ここで、情報処理装置とは、例えば、携帯電話端末１０１に埋め込まれるマイコンチップである。あるいは、広告配信サーバ１０２のＣＰＵである。
【産業上の利用可能性】
【００８４】
本発明によれば、携帯電話端末を利用した広告配信を利用者の利便性を損ねることなく、効率良く行うことができる。
【図面の簡単な説明】
【００８５】
【図１】本実施例の広告表示方法を実現するためのネットワーク構成例を示す図。
【図２】広告主が広告配信サーバに広告を登録する手順を示すシーケンス図。
【図３】第一実施例の広告表示方法を示すシーケンス図。
【図４】携帯電話端末利用者が料金割引サービスを受ける手順を示すシーケンス図。
【図５】第三実施例の広告表示方法を示すシーケンス図。
【図６】第四実施例の広告表示方法を示すシーケンス図。
【図７】第五実施例の広告表示方法を示すシーケンス図。
【図８】メール作成のイメージを示す図。
【図９】ポップアップした広告情報表示のイメージを示す図。
【図１０】配信履歴一覧表示のイメージを示す図。
【図１１】第四実施例の広告情報表示のイメージを示す図。
【符号の説明】
【００８６】
１０１  携帯電話端末
１０２  広告配信サーバ
１０３  インターネット端末
１０４  広告主
１０５  仲介者
１０６  インターネット
１０７  携帯電話ネットワーク
１０８  携帯電話事業者が運営するメールサーバ
１０９  インターネット上のＷｅｂ／メールサーバ
１１０  携帯電話事業者
【図１】
2006047565.tif 000003
【図２】
2006047565.tif 000004
【図３】
2006047565.tif 000005
【図４】
2006047565.tif 000006
【図５】
2006047565.tif 000007
【図６】
2006047565.tif 000008
【図７】
2006047565.tif 000009
【図８】
2006047565.tif 000010
【図９】
2006047565.tif 000011
【図１０】
2006047565.tif 000012
【図１１】
2006047565.tif 000013